(57)【要約】【課題】水の変幻自在に変化する魅力や不思議さを体感することができ、水をコントロールする喜びや、水遊びすることによる笑い、水を介してコミニュケーション、水のパワー等、水に関する色々な実体験により達成感や水の可能性を感得することができる射水ゲーム施設を提供する。【解決手段】射水ゲーム施設Ａ１を、水域Ｗ１を挟んで陸地側Ｂ１と火山島側Ｂ２に２基づつ向かい合わせに配設され、夫々の陸地側Ｂ１と火山島側Ｂ２まで届く水圧が供与可能な噴水ガン装置Ｇ１，Ｇ２，Ｇ３，Ｇ４と、これらの噴水ガン装置Ｇ１，Ｇ２，Ｇ３，Ｇ４から射水された水が届く位置に配設された標的装置Ｈ１，Ｈ２と、から構成した。【選択図】図１
2005058393.tif 000002
【特許請求の範囲】
【請求項１】
所要距離まで届く水圧が供与可能な噴水ガン装置と、この噴水ガン装置から射水された水が届く位置に配設された標的装置と、から構成されてなる射水ゲーム施設。
【請求項２】
前記噴水ガン装置と標的装置とを所要距離離間させて複数基、向かい合わせに配置したことを特徴とする請求項１に記載の射水ゲーム施設。
【請求項３】
前記噴水ガン装置は、送水ポンプにより水を噴射するように構成され、噴射圧力が選択可能であることを特徴とする請求項１又は請求項２のいずれかに記載の射水ゲーム施設。
【請求項４】
前記噴水ガン装置は、手動により水の噴射圧力を得ることを特徴とする請求項１又は請求項２のいずれかに記載の射水ゲーム施設。
【請求項５】
前記標的装置は、前記噴水ガン装置から射水された水を当てる的部と、この的部の下方に配設され該的部に当てられて流下する水を溜める水溜部と、この水溜部に溜められた水が一定量を越えたときに該水溜部を回転させる軸部と、から構成され、該標的装置は、上記噴水ガン装置を操作する者の頭上に配設され、水溜部が回動して流下する水が上記操作者の注がれるように構成したことを特徴とする請求項１又は請求項２のいずれかに記載の射水ゲーム施設。
【請求項６】
前記水溜部の下方には、水溜部が回動して流下する水を前記操作者の頭上へとガイドするガイド板が配設されていることを特徴とする請求項５に記載の射水ゲーム施設。
【請求項７】
請求項５又は請求項６の射水ゲーム施設に用いられる噴水ガン装置は、射水される水が競技相手の身体に直接当たらないように、上下回動角度が規制されていることを特徴とする射水ゲーム施設。
【請求項８】
前記標的装置は、前記噴射ガン装置から放物線を描くように射水された水を溜める少なくとも１以上の水溜部と、この水溜部に貯水された水が所要量溜まると該水溜部を回転させる軸部と、から構成されてなる水入れゲームを楽しむことができる請求項１乃至請求項４のいずれかに記載の射水ゲーム施設。
【請求項９】
前記水溜部の下方には、水受板又は／及び水が当たることで回転するプロペラを配置したことを特徴とする請求項８に記載の射水ゲーム施設。
【請求項１０】
前記水溜部を放射状に複数基配設し、該水溜部は、該水溜部を支持する支持体に水平方向に回転自在に取り付けられていることを特徴とする請求項８又は請求項９のいずれかに記載の射水ゲーム施設。
【発明の詳細な説明】
【技術分野】
【０００１】
本発明は、子供が噴水や水鉄砲等で的に当てたり、水を遠くの的に入れたりして水遊びを楽しむことができる大型の水遊び用射水ゲーム施設に関する。
【背景技術】
【０００２】
従来、水で遊べる施設としては、特許文献１に示すように、公園に設置される子供用の水遊び用遊具が知られており、該遊具は、足踏みペダルにより揚水水車を回転させ、水面から水をくみ上げるように構成し、くみ上げた水を滝のように流下させるだけのものであり、自分の力で水をくみ上げる面白さはあるものの、比較的単純な遊びであるため長く楽しめるものではなく、また、遊べるのが一人だけであるため、複数人で楽しむことができず、水に関する色々な実体験により達成感や水の可能性を感得することができるものではなかった。
【０００３】
【特許文献１】特開２０００−２０２１７３号公報
【発明の開示】
【発明が解決しようとする課題】
【０００４】
この発明は、かかる現状に鑑み創案されたものであって、その目的とするところは、水の変幻自在に変化する魅力や不思議さを体感することができ、水をコントロールする喜びや、水遊びすることによる笑い、水を介してコミニュケーション、水のパワー等、水に関する色々な実体験により達成感や水の可能性を感得することができる射水ゲーム施設を提供しようとするものである。
【課題を解決するための手段】
【０００５】
上記目的を達成するため、請求項１に記載の本発明は、射水ゲーム施設を、所要距離まで届く水圧が供与可能な噴水ガン装置と、この噴水ガン装置から射水された水が届く位置に配設された標的装置と、から構成したことを特徴とする。
【０００６】
請求項２に記載の本発明は、請求項１に記載の射水ゲーム施設において、前記噴水ガン装置と標的装置とを所要距離離間させて複数基、向かい合わせに配置したことを特徴とする。
【０００７】
請求項３に記載の本発明は、請求項１又は請求項２のいずれかに記載の射水ゲーム施設において、前記噴水ガン装置を、送水ポンプにより水を噴射するように構成し、噴射圧力が選択可能であることを特徴とする。
【０００８】
請求項４に記載の本発明は、請求項１又は請求項２のいずれかに記載の射水ゲーム施設において、前記噴水ガン装置は、手動により水の噴射圧力を得ることを特徴とする。
【０００９】
請求項５に記載の本発明は、請求項１又は請求項２のいずれかに記載の射水ゲーム施設において、前記標的装置を、前記噴水ガン装置から射水された水を当てる的部と、この的部の下方に配設され該的部に当てられて流下する水を溜める水溜部と、この水溜部に溜められた水が一定量を越えたときに該水溜部を回転させる軸部と、から構成され、該標的装置は、上記噴水ガン装置を操作する者の頭上に配設され、水溜部が回動して流下する水が上記操作者の注がれるように構成したことを特徴とする。
【００１０】
請求項６に記載の本発明は、請求項１又は請求項２のいずれかに記載の射水ゲーム施設において、前記水溜部の下方に、水溜部が回動して流下する水を前記操作者の頭上へとガイドするガイド板を配設したことを特徴とする。
【００１１】
請求項７に記載の本発明は、請求項５又は請求項６の射水ゲーム施設に用いられる噴水ガン装置を、射水される水が競技相手の身体に直接当たらないように、上下回動角度が規制して構成したことを特徴とする。
【００１２】
請求項８に記載の本発明は、請求項１乃至請求項４のいずれかに記載の射水ゲーム施設において、前記標的装置は、前記噴射ガン装置から放物線を描くように射水された水を溜める少なくとも１以上の水溜部と、この水溜部に貯水された水が所要量溜まると該水溜部を回転させる軸部と、から構成されて水入れゲームを楽しむことができるように構成したことを特徴とする。
【００１３】
請求項９に記載の本発明は、請求項８に記載の射水ゲーム施設において、前記水溜部の下方に、水受板又は／及び水が当たることで回転するプロペラを配置したことを特徴とする。
【００１４】
請求項１０に記載の本発明は、請求項８又は請求項９のいずれかに記載の射水ゲーム施設において、前記水溜部を放射状に複数基配設し、該水溜部は、該水溜部を支持する支持体に水平方向に回転自在に取り付けられていることを特徴とする。
【発明の効果】
【００１５】
以上説明したように、請求項１に記載の本発明にあっては、射水ゲーム施設を、所要距離まで届く水圧が供与可能な噴水ガン装置と、この噴水ガン装置から射水された水が届く位置に配設された標的装置と、から構成したので、水の変幻自在に変化する魅力や不思議さを体感することができ、水をコントロールする喜びや、水遊びすることによる笑い、水を介してコミニュケーション、水のパワー等、水に関する色々な実体験により達成感や水の可能性を感得することができる。
【００１６】
請求項２に記載の本発明は、前記噴水ガン装置と標的装置とを所要距離離間させて複数基、向かい合わせに配置したので、競争意識の醸成や遊びの達成感を得ることができ、また、有利な放物角度を知覚することができ、水を利用した教育を効果的に実施することができる。
【００１７】
請求項３又は請求項４に記載の本発明は、前記噴水ガン装置を、送水ポンプにより水を噴射し、噴射圧力が選択可能であり、或は、手動により水の噴射圧力を得ることができるように構成されているので、噴水圧力に対応する放物角度を経験により知覚することができる。
【００１８】
請求項５に記載の本発明は、前記標的装置を、前記噴水ガン装置から射水された水を当てる的部と、この的部の下方に配設され該的部に当てられて流下する水を溜める水溜部と、この水溜部に溜められた水が一定量を越えたときに該水溜部を回転させる軸部と、から構成され、該標的装置は、上記噴水ガン装置を操作する者の頭上に配設され、水溜部が回動して流下する水が上記操作者の注がれるように構成したので、消防士でなければ体験できないような放水圧とそのコントロールを体験することができ、同時に相手の安全性を確認しながら遊ぶため、注意力の育成に有効であり、また、参加者と観覧者の笑いを誘う水遊びを楽しみながら実現することができ、しかも、２人以上で協力して競技した場合には、協力意識を醸成し、達成感を得ることができ、さらに、安全である、という効果が得られる。
【００１９】
請求項６に記載の本発明は、前記水溜部の下方に、水溜部が回動して流下する水を前記操作者の頭上へとガイドするガイド板が配設して構成したので、水溜部から流下した水が跳ねて飛び散る様を楽しむことができる。
【００２０】
請求項７に記載の本発明は、請求項５又は請求項６の射水ゲーム施設に用いられる噴水ガン装置は、上下回動角度が規制されているので、射水される水が競技相手の身体に直接当たらず、安全性を確実に確保することができる。
【００２１】
請求項８に記載の本発明は、前記標的装置を、前記噴射ガン装置から放物線を描くように射水された水を溜める少なくとも１以上の水溜部と、この水溜部に貯水された水が所要量溜まると該水溜部を回転させる軸部と、から構成したので、水を利用して、玉入れゲーム感覚の水入れゲームを楽しむことができる。
【００２２】
請求項９に記載の本発明は、前記水溜部の下方に、水受板又は／及び水が当たることで回転するプロペラを配置したので、水溜部から流下した水が跳ねて飛び散る様やプロペラが回る様を楽しむことができる。
【００２３】
請求項１０に記載の本発明は、前記水溜部を放射状に複数基配設し、該水溜部は、該水溜部を支持する支持体に水平方向に回転自在に取り付けたので、水圧によって水溜部が回動し、放物線の角度コントロールに変化を持たせることができ、消防士でなければ体験できないような放水圧とそのコントロールを体験することができ、しかも、２人以上で協力して競技した場合には、協力意識を醸成し、達成感を得ることができ、さらに、安全である、という効果が得られる。
【発明を実施するための最良の形態】
【００２４】
以下、添付図面に示す発明の実施の形態例に基づき、この発明を詳細に説明する。
【実施例１】
【００２５】
図１乃至図６は、この発明の実施例１に係る射水ゲーム施設Ａ１を示しており、図１は当該施設Ａ１の平面配置図を、図２は同施設Ａ１に用いられる噴水ガン装置Ｇの側面図を、図３は同噴水ガン装置Ｇの平面図を、図４は同噴水ガン装置Ｇの正面図を、図５は同施設Ａ１に用いられる標的装置Ｈの一例を示す斜視図を、図６は同標的装置Ｈの水溜部の構成を示す断面図を示している。
【００２６】
即ち、この実施例１に係る射水ゲーム施設Ａ１は、図示例では、水域Ｗ１を挟んで陸地側Ｂ１と火山島側Ｂ２に２基づつ向かい合わせに配設され、夫々の陸地側Ｂ１と火山島側Ｂ２まで届く水圧が供与可能な噴水ガン装置Ｇ１，Ｇ２，Ｇ３，Ｇ４と、これらの噴水ガン装置Ｇ１，Ｇ２，Ｇ３，Ｇ４から射水された水が届く位置に配設された標的装置Ｈ１，Ｈ２と、から構成されている。
【００２７】
本実施例１に用いられる噴水ガン装置Ｇ１乃至Ｇ４は、図２乃至図４に示すように、砲台部１と、この砲台部１の上部に回転自在に軸支された銃座部２と、この銃座部２に上下方向に回動自在に軸支されたウォ−タキャノン部３と、から構成されており、このウォータキャノン部３への送水は、公知の構成からなる送水ポンプ（図示せず）を介して水を所要水圧で送水するように構成されている。この発明では、この噴射圧力を、スイッチ等で選択することができるように構成するのが望ましい。勿論、この発明にあっては、噴水ガン装置を手動により水の噴射圧力が得られるように構成し、複数人がチームとなって協力して射水することができるように構成してもよい。尚、図中符号４，４はハンドル部を示す。
【００２８】
また、この実施例１に係る噴水ガン装置Ｇ１乃至Ｇ４では、上記ウォータキャノン部３を上下方向に回動自在に軸しする銃座部３には、該ウォータキャノン部３から射水される水が競技相手の身体に直接当たらないように、ストッパ（図示せず）を介して上下回動角度が規制されて構成され、安全に遊ぶことができるように構成されている。
【００２９】
また、この実施例１に係る上記標的装置Ｈ１，Ｈ２は、図５に示すように、前記噴水ガン装置Ｇ１，Ｇ２又はＧ３，Ｇ４から射水された水が当てられる的部１０と、この的部１０の下方に配設され該的部１０に当てられて流下する水を溜める半割ドラム缶等で形成された水溜部１１と、この水溜部１１に溜められた水が一定量を越えたときに該水溜部１１を回転させる軸部１１Ｂと、上記水溜部１１の下方に配設され水溜部１１が回動して流下する水を前記操作者の頭上へとガイドするガイド板１３と、から構成し、これらは、上記噴水ガン装置Ｇ１乃至Ｇ４を操作する者の頭上に配設され、水溜部１１が回動して流下する水がガイド板１３を伝って上記操作者の注がれるように構成されている。尚、図中符号１０Ａ，１０Ａは的部１０の両脇に回転自在に配設された補助的部であり、また、符号１５，１５は、支柱である。
【００３０】
即ち、この実施例１に係る水溜部１１は、図６に示すように、ドラム缶を半割状に形成した本体１１Ａの下部の偏心させた位置を軸１１Ｂで回転自在に軸支し、かつ、水溜部１１内には、隔壁体１２が配設されており、該水溜部１１の手前側Ｔに水が溜まるように構成されている。
【００３１】
従って、水溜部１１の手前側Ｔに水が溜まって手前側Ｔの重量が大きくなると、該水溜部１１は軸１１Ｂを支点として図６時計方向に回動し、該水溜部１１に溜められた水は放流される。そして、水が放流され軽くなった水溜部１１は、今度は奥行側Ｙの重量が手前側Ｔの重量よりも大きくなるため、その重量により水溜部１１は原位置へと復動する。戻らない場合には、水溜部１１の奥行側Ｙに接続されたワイヤー１４を引くことで、簡単に原位置へと復動させることができる。
【００３２】
そして、上記ガイド板１３の表面には、不規則な凹凸が形成されており、水溜部１１から流下した水が跳ねて飛び散る様を楽しむことができるように構成されていると共に、水溜部１１から放水された水の圧力を軽減して、人の身体に当たる圧力を弱めるため、安全性を確保することができる。
【００３３】
それ故、この実施例１に係る射水ゲーム施設Ａ１にあっては、消防士でなければ体験できないような放水圧とそのコントロールを体験することができ、同時に相手の安全性を確認しながら遊ぶことができるため、注意力の育成に有効であり、また、参加者と観覧者の笑いを誘う水遊びを楽しみながら実現することができ、しかも、２人以上で協力して競技した場合には、協力意識を醸成し、達成感を得ることができ、さらに、安全である、という効果が得られる。
【実施例２】
【００３４】
図７乃至図１０は、この発明の実施例２に係る射水ゲーム施設Ａ２を示しており、図７は当該施設Ａ２の平面配置図を、図８は同施設Ａ２に用いられる噴水ガン装置Ｇの側面図を、図９は同噴水ガン装置Ｇの平面図を、図１０は同施設Ａ２に用いられる標的装置Ｈの一例を示す斜視図を示している。
【００３５】
即ち、この実施例２に係る射水ゲーム施設Ａ２は、図示例では、水域Ｗ２を挟んで陸地側Ｂ３に３組が夫々２基づつ配設され、夫々が標的装置Ｈ３まで届く水圧が供与可能な噴水ガン装置Ｇと、これらの噴水ガン装置Ｇから射水された水が届く水域Ｗ２の中心部に配設された標的装置Ｈ３と、から構成されている。
【００３６】
本実施例２に用いられる噴水ガン装置Ｇは、図８と図９に示すように、実施例１のようにウォータキャノン部の上下方向の回動規制手段が配設されていない他は、基本的には実施例１の噴水ガン装置Ｇ１乃至Ｇ４と同様に構成されているので、図面には、実施例１で用いた符号と同一の符号を付して、その詳細な説明をここでは省略する。
【００３７】
また、この実施例２に係る上記標的装置Ｈ３は、図１０に示すように、前記各噴射ガン装置Ｇから放物線を描くように射水された水を溜める３つの水溜部２１Ａ，２１Ｂ，２１Ｃと、１２０度毎に配設された該水溜部２１Ａ，２１Ｂ，２１Ｃに貯水された水が所要量溜まると該水溜部２１Ａ，２１Ｂ，２１Ｃを回転させる軸部２２Ａ，２２Ｂ，２２Ｃと、上記水溜部２１Ａ，２１Ｂ，２１Ｃを支持する支柱２８と、から構成されており、３方向から、２人づつがチームとなって協力しながら水入れゲームを楽しむことができるように構成されている。勿論、この発明にあっては、上記水溜部２１の個数は、図示例のように３個ではなく、施設設置スペースの大きさに対応させて適宜数とすることができ、また、この水溜部２１の個数に対応させて噴水ガン装置Ｇの基数を適宜増減させることもできる。
【００３８】
この水溜部２１Ａ，２１Ｂ，２１Ｃの構成及び軸部２２Ａ，２２Ｂ，２２Ｃの軸支構造は、基本的には、実施例１の水溜部１１及び軸部１１Ｂと同様に構成されているので、その詳細な説明をここでは省略するが、この実施例２では、各水溜部２１Ａ，２１Ｂ，２１Ｃの配色を異ならしめており、これに合わせて各組の噴水ガン装置Ｇも配色されている。
【００３９】
また、上記水溜部２１Ａ，２１Ｂ，２１Ｃの下方には、実施例１と同様に水受板２３Ａ，２３Ｂ，２３Ｃが配設されている。
【００４０】
そして、上記水受板２３Ａの下流側には、水溜部２１Ａよりも小型の副水溜部２４が回転自在に軸支され、また、水受板２３Ｂの下流には回転水車２５が回転自在に軸支されている。尚、図中符号２６Ａ，２６Ｂ，２６Ｃは、各水溜部２１Ａ，２１Ｂ，２１Ｃを支持する水平支柱２７Ａ，２７Ｂ，２７Ｃの先端部に回転自在に軸支されたプロペラを示しており、該プロペラ２６Ａ，２６Ｂ，２６Ｃは、噴水ガン装置Ｇからの水が当たると勢い良く回転し、水を放散させるように構成されている。
【００４１】
勿論、上記水受板２３Ａ，２３Ｂ，２３Ｃの表面にも、実施例１のガイド板１３と同様に、不規則な凹凸が形成されており、水溜部２１Ａ，２１Ｂ，２１Ｃから流下した水が跳ねて飛び散る様を楽しむことができるように構成されている。
【００４２】
尚、上記実施例２では、上記水溜部２１Ａ，２１Ｂ，２１Ｃを支柱２８に固定した場合を例にとり説明したが、この発明にあってはこれに限定されるものではなく、例えば、支柱２８に水平方向に回転自在に支持するように構成し、水を溜める放物線に変化を与えることで、より競争の難易度を上げて趣向性を向上させるように構成してもよい。
【００４３】
この実施例２に係る射水ゲーム施設Ａ２は、噴射ガン装置Ｇから放物線を描くように射水された水を溜める少なくとも３つの水溜部２１Ａ，２１Ｂ，２１Ｃと、この水溜部２１Ａ，２１Ｂ，２１Ｃに貯水された水が所要量溜まると該水溜部２１Ａ，２１Ｂ，２１Ｃを回転させる軸部２２Ａ，２２Ｂ，２２Ｃと、から構成したので、水を利用して、玉入れゲーム感覚の水入れゲームを楽しむことができる。
【図面の簡単な説明】
【００４４】
【図１】この発明の実施例１に係る射水ゲーム施設の平面配置図である。
【図２】同施設に用いられる噴水ガン装置の側面図である。
【図３】同噴水ガン装置の平面図である。
【図４】同噴水ガン装置の正面図である。
【図５】同施設に用いられる標的装置の一例を示す斜視図である。
【図６】同標的装置の水溜部の構成を示す断面図である。
【図７】この発明の実施例２に係る射水ゲーム施設の平面配置図である。
【図８】同施設に用いられる噴水ガン装置の側面図である。
【図９】同噴水ガン装置の平面図である。
【図１０】同施設に用いられる標的装置の一例を示す斜視図である。
【符号の説明】
【００４５】
Ａ１，Ａ２  射水ゲーム施設
Ｂ１  陸地側
Ｂ２  火山島側
Ｈ，Ｈ１，Ｈ２，Ｈ３  標的装置
Ｇ，Ｇ１，Ｇ２，Ｇ３，Ｇ４  噴水ガン装置
Ｗ１，Ｗ２  水域
１  砲台部
２  銃座部
３  ウォータキャノン部
１０  的部
１１  水溜部
１１Ｂ  軸部
１３  ガイド板
１５  支柱
２１Ａ，２１Ｂ，２１Ｃ  水溜部
２２Ａ，２２Ｂ，２２Ｃ  軸部
２３  水受板
２４  副水溜部
２５  回転水車
２６Ａ，２６Ｂ，２６Ｃ  プロペラ
２７Ａ，２７Ｂ，２７Ｃ  水平支柱
２８  支柱
【図１】
2005058393.tif 000003
【図２】
2005058393.tif 000004
【図３】
2005058393.tif 000005
【図４】
2005058393.tif 000006
【図５】
2005058393.tif 000007
【図６】
2005058393.tif 000008
【図７】
2005058393.tif 000009
【図８】
2005058393.tif 000010
【図９】
2005058393.tif 000011
【図１０】
2005058393.tif 000012